(57)【要約】      （修正有）【課題】利用者の認証を行って電源の制御を可能とする。【解決手段】非接触型ＩＣに格納された情報を読み取る読取手段と、読取手段にて読み取った情報が予め格納された情報と一致するか否かにより前記電源制御を許可するか否かを判断する認証手段と、認証手段にて許可と判断すると電源制御を有効化する電源制御有効化手段と、を備える。【選択図】図４
2010146066.tif 000002
【特許請求の範囲】
【請求項１】
非接触型ＩＣに格納された情報を読み取る読取手段と、
前記読取手段にて読み取った情報の認証を行う認証手段と、
前記認証手段にて許可と判断すると電源制御を有効化する電源制御有効化手段と、を備えることを特徴とする電源制御装置。
【請求項２】
前記電源制御有効化手段による電源制御の有効化後、一定時間経過すると電源制御を無効化する電源制御無効化手段を備えることを特徴とする請求項１記載の電源制御装置。
【請求項３】
前記認証手段は、予め格納された情報と一致するか否かにより前記電源制御を許可するか否かを判断することを特徴とする請求項１又は２記載の電源制御装置。
【請求項４】
認証情報を格納する非接触型ＩＣと、電源制御を有効化／無効化する電源制御装置と、を備える電源制御システムにおいて、
前記電源制御装置は、前記認証情報を読み取る読取手段と、前記読取手段にて読み取った情報の認証を行う認証手段と、前記認証手段にて許可と判断すると電源制御を有効化する電源制御有効化手段と、を備えることを特徴とする電源制御システム。
【請求項５】
前記電源制御装置は、前記電源制御有効化手段による電源制御の有効化後、一定時間経過すると電源制御を無効化する電源制御無効化手段を備えることを特徴とする請求項４記載の電源制御システム。
【請求項６】
前記認証手段は、予め格納された情報と一致するか否かにより前記電源制御を許可するか否かを判断することを特徴とする請求項４又は５記載の電源制御システム。
【請求項７】
非接触型ＩＣに格納された情報を読み取る読取ステップと、
前記読取ステップにて読み取った情報の認証を行う認証ステップと、
前記認証ステップにて許可と判断すると電源制御を有効化する電源制御有効化ステップと、を備えることを特徴とする電源制御方法。
【請求項８】
前記電源制御有効化ステップによる電源制御の有効化後、一定時間経過すると電源制御を無効化する電源制御無効化ステップを備えることを特徴とする請求項７記載の電源制御方法。
【請求項９】
非接触型ＩＣに格納された情報を読み取る読取処理と、
前記読取処理にて読み取った情報の認証を行う認証処理と、
前記認証処理にて許可と判断すると電源制御を有効化する電源制御有効化処理と、をコンピュータに実行させるプログラム。
【発明の詳細な説明】
【技術分野】
【０００１】
本発明は、ハードウェアにて電源スイッチの有効化を可能とする電源制御装置、電源制御システム、電源制御方法及びプログラムに関する。
【背景技術】
【０００２】
近年、サーバは他の端末との通信中に電源が強制的に切断されてしまうのを防止するため、また、コンソールレス、キーボードレス、更にセキュリティの観点から電源スイッチを無効化し、ネットワーク経由にてリモート管理するという運用形態が増加している。
【０００３】
例えば、特許文献１には、遠隔地の装置が主装置より電源オフ制御信号を受け取り、該制御信号を解析して送られた情報に基づいてオフスイッチの有効、無効、あるいは電源切断を行う技術について開示されている。
【０００４】
また、特許文献２では、電源オフしたコンピュータにおいて、利用者のＩＣカードを読み取って識別情報を照合し、一致すれば電源を投入して利用可能にする技術について開示されている。
【特許文献１】特開平５−１１９８７５号公報
【特許文献２】特開２００２−１５７０５０号公報
【発明の開示】
【発明が解決しようとする課題】
【０００５】
しかしながら、特許文献１のように電源スイッチを遠隔操作で行うと、ＡＣＰＩ機能によるシステムシャットダウンも不可となる。また、ネットワークへの依存性が高く、もしネットワーク障害が発生した場合には、サーバからの制御が不能となってしまい、電源制御が不可能となってしまう。
【０００６】
そこで本発明は、上記問題点に鑑みてなされたもので、利用者の認証を行って電源の制御を可能とする電源制御装置を提供することを目的とする。
【課題を解決するための手段】
【０００７】
上記課題を解決するため、本発明における電源制御装置は、非接触型ＩＣに格納された情報を読み取る読取手段と、読取手段にて読み取った情報の認証を行う認証手段と、認証手段にて許可と判断すると電源制御を有効化する電源制御有効化手段と、を備えることを特徴とする。
【０００８】
また、本発明における電源制御システムは、認証情報を格納する非接触型ＩＣと、電源制御を有効化／無効化する電源制御装置と、を備える電源制御システムにおいて、電源制御装置は、認証情報を読み取る読取手段と、読取手段にて読み取った情報の認証を行う認証手段と、認証手段にて許可と判断すると電源制御を有効化する電源制御有効化手段と、を備えることを特徴とする。
【０００９】
また、本発明における電源制御方法は、非接触型ＩＣに格納された情報を読み取る読取ステップと、読取ステップにて読み取った情報の認証を行う認証ステップと、認証ステップにて許可と判断すると電源制御を有効化する電源制御有効化ステップと、を備えることを特徴とする。
【００１０】
また、本発明におけるプログラムは、非接触型ＩＣに格納された情報を読み取る読取処理と、読取処理にて読み取った情報の認証を行う認証処理と、認証処理にて許可と判断すると電源制御を有効化する電源制御有効化処理と、をコンピュータに実行させることを特徴とする。
【発明の効果】
【００１１】
本発明により、非接触ＩＣから利用者の認証を行って、許可したユーザにのみ電源の制御を可能とすることができる。
【発明を実施するための最良の形態】
【００１２】
次に、発明を実施するための最良の形態について図面を参照して詳細に説明する。
【００１３】
図１は、本発明の実施形態における電源制御システムの構成図である。電源制御システム１は、電源制御装置１０と、非接触型ＩＣ２０と、を有して構成される。
【００１４】
電源制御装置１０は、非接触型ＩＣに格納されている情報を受信して認証を行い、認証結果から許可された場合には、電源制御装置の電源が制御できるよう構成されている。
【００１５】
続いて、電源制御装置１０及び非接触型ＩＣ２０について図面を参照に詳細に説明する。図２は、本発明の実施形態における電源制御装置の構成図である。電源制御装置１０は、ＣＰＵ１１と、メモリ１２と、記憶部１３と、アンテナ１４と、電源１５と、を有して構成される。
【００１６】
ＣＰＵ１１は、記憶部１３に格納されるプログラムに従ってメモリ１２を用いて演算を行い、装置全体の制御を司る。また、記憶部１３には、後述する非接触型ＩＣから受け取った情報を認証するためのデータが格納されている。ここでの認証データは、例えば、認証ＩＤや利用者の指定するパスワードなどであり、特に限定されるものではない。
【００１７】
また、アンテナ１４は、非接触型ＩＣとの間で無線により通信信号の受信を行う。また、電源１５は、アンテナ１４から受け取った情報を認証して許可された場合にのみユーザによる電源制御が可能となるよう構成される。なお、ネットワーク経由での電源制御については、ここでは限定せず、例えば、ネットワーク経由では、常に電源ＯＦＦが可能であるよう構成しても良い。
【００１８】
図３は、本発明の実施形態における非接触型ＩＣの構成図である。本非接触型ＩＣ２０は、記憶部２１と、アンテナ２２と、を有して構成される。
【００１９】
記憶部２１には、電源制御装置で認証を受けるためのデータが格納されており、例えば、認証ＩＤやパスワードなどである。また、該データは、アンテナ２２を介して無線により通信信号の送信を行っている。
【００２０】
図４は、本発明の実施形態における電源制御装置の機能ブロック図である。電源制御装置１０は、受信部１０２と、認証部１０３と、電源制御部１０４と、それらを統括して制御する制御部１０１と、を有して構成される。
【００２１】
受信部１０２は、非接触型ＩＣに格納されている情報を読み取って、認証部１０３へと該情報を送信する。
【００２２】
認証部１０３は、受信部１０２より受け取った情報を装置内に格納されている情報と一致するか否かなどによって認証を行い、電源制御を許可すべき情報だと判断できれば、電源制御部１０４へその旨を伝える。なお、認証の方法については、特に限定することなく、例えば、予め格納された情報と一致するか否かにより判断するなど、周知の技術を用いれば良い。
【００２３】
電源制御部１０４は、非接触型ＩＣを持つユーザが電源制御を行うことが許可された利用者だと判断された場合に電源切断が可能になるよう制御を行う。なお、ここでの電源切断とは、ＡＣＰＩ機能によるシステムシャットダウンや電源スイッチのＯＦＦによる電源切断である。
【００２４】
また、認証を行って許可がされた場合に、例えば一定時間ネットワークを経由した電源管理を行えるよう構成しても良い。
【００２５】
図５は、本発明の実施形態における電源制御装置のフローチャート図である。
【００２６】
電源制御装置は、非接触型ＩＣが近づけられると、該ＩＣに格納されている情報を検出して読み取る（ステップＳ１１）。
【００２７】
読み取った情報を格納しているデータと一致するかなどによって認証を行い、電源制御を許可するか否かを判断する（ステップＳ１２）。なお、ここでの認証方法は、特に限定することなく、周知の技術を用いればよい。
【００２８】
上記ステップにて認証がＯＫであれば、電源をＯＦＦすることができるよう制御する（ステップＳ１３）。一方、不一致の場合にはファームウェア等の設定が優先され電源をＯＦＦにすることができないままである。なお、ネットワーク経由での電源ＯＦＦについては、ここでは制御を行うよう構成しても、常にネットワーク経由で電源ＯＦＦができるよう構成しても良い。
【００２９】
図６は、本発明の他の実施形態における電源制御装置のフローチャート図である。
【００３０】
電源制御装置は、非接触型ＩＣが近づけられると、該ＩＣに格納されている情報を検出して読み取る（ステップＳ１１）。
【００３１】
読み取った情報を格納しているデータと一致するかなどによって認証を行い、電源制御を許可するか否かを判断する（ステップＳ１２）。なお、ここでの認証方法は、特に限定することなく、周知の技術を用いればよい。
【００３２】
上記ステップにて認証がＯＫであれば、電源をＯＦＦすることができるよう制御する（ステップＳ１３）。
【００３３】
その後、予め定められた時間が経過したか否かを判断し（ステップＳ２４）、一定時間が経過したら、電源をＯＦＦすることができないよう制御を行う（ステップＳ２５）。
【００３４】
本実施形態によれば、例えば、許可されたユーザが電源制御装置の近くにいた場合にのみ、遠隔地からの電源制御も許可するといったことが可能となる。なお、許可されたユーザが電源制御装置の近くにいた場合に、遠隔地からの電源制御はできなくなるよう構成しても良い。
【００３５】
本発明によれば、コンソールレス、キーボードレス、更にセキュリティの観点から電源スイッチをファームウェアの設定により無効化し、ネットワーク経由にてリモート管理しているサーバシステムにおいて、万が一ネットワーク障害が発生し該システムにアクセス不能となった場合にもシステムシャットダウンを正常に実施するための手段として携帯電話等に装備される非接触型ＩＣもしくは、専用の非接触型ＩＣカードからあらかじめ管理者が指定した特定のＩＤを送信、本体装置にて受信することにより、無効化していた電源スイッチの機能を有効化する。
【００３６】
これにより従来のＡＣＰＩ機能によるシステムシャットダウン処理を実行することが可能となり、サーバシステムの運用中のデータを保護することが出来る。
【００３７】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更が可能である。
【図面の簡単な説明】
【００３８】
【図１】本発明の実施形態に係る電源制御システムの構成図である。
【図２】本発明の実施形態に係る電源制御装置の構成図である。
【図３】本発明の実施形態に係る非接触型ＩＣの構成図である。
【図４】本発明の実施形態に係る電源制御装置の機能ブロック図である。
【図５】本発明の実施形態に係る電源制御装置のフローチャート図である。
【図６】本発明の他の実施形態に係る電源制御装置のフローチャート図である。
【符号の説明】
【００３９】
１    電源制御システム
１０    電源制御装置
２０    非接触型ＩＣ
１０１    制御部
１０２    受信部
１０３    認証部
１０４    電源制御部
【図１】
2010146066.tif 000003
【図２】
2010146066.tif 000004
【図３】
2010146066.tif 000005
【図４】
2010146066.tif 000006
【図５】
2010146066.tif 000007
【図６】
2010146066.tif 000008